(57)【要約】【課題】スキャナプロファイルの補正を出力時に毎回、簡便に実施可能にし、スキャナプロファイルの色域全体を高い精度で補正可能にする。【解決手段】Ｋ０％を含むＫパッチとＫパッチのＫ値を含むグレーパッチとを含むスキャナプロファイル補正用カラーパッチを測定して得たＲＧＢ値及び色彩値を取得し、予め作成したスキャナプロファイルを記憶部から読み込み、Ｋ値毎に、Ｒ／Ｌ*、Ｇ／Ｌ*、Ｂ／Ｌ*の相関を算出すると共に、スキャナプロファイル補正用カラーパッチの測定値に基づいて、Ｋ値毎に、Ｒ／Ｌ*、Ｇ／Ｌ*、Ｂ／Ｌ*の相関を算出し、各々のＫ値毎のＲ／Ｌ*、Ｇ／Ｌ*、Ｂ／Ｌ*の相関に基づいて、Ｋ値毎にＬ*に対するＲ、Ｇ、Ｂの差分を算出し、算出した差分から、スキャナプロファイルを補正するための、Ｒ、Ｇ、Ｂ各々の１次元補正テーブルを作成する。【選択図】図７
2018166255.tif 000002
【特許請求の範囲】
【請求項１】
プリンタとスキャナと測色器と含む印刷システム内の装置で動作するスキャナプロファイル補正プログラムであって、
前記装置に、
前記プリンタが、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷し、前記スキャナが前記スキャナプロファイル補正用カラーパッチを測定して得たＲＧＢ値及び前記測色器が前記スキャナプロファイル補正用カラーパッチを測定して得た色彩値を取得する取得処理、
予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出する第１相関算出処理、
前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する第２相関算出処理、
前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出する差分算出処理、
算出した差分から、前記スキャナプロファイルを補正するための、Ｒ、Ｇ、Ｂ各々の補正テーブルを作成するテーブル作成処理、を実行させる、
ことを特徴とするスキャナプロファイル補正プログラム。
【請求項２】
前記色彩値は、Ｌ*ａ*ｂ*であり、
前記第１相関算出処理及び前記第２相関算出処理では、ＲＧＢの各要素と色彩値の明度要素との相関として、ＲとＬ*との相関、ＧとＬ*との相関、ＢとＬ*との相関を算出し、
前記差分算出処理では、色彩値の明度要素に対するＲＧＢの各要素の差分として、Ｌ*に対するＲ、Ｇ、Ｂ各々の差分を算出する、
ことを特徴とする請求項１に記載のスキャナプロファイル補正プログラム。
【請求項３】
前記第１パッチ群は、K値が０％及び１００％の２つのパッチを含む、
ことを特徴とする請求項１又は２に記載のスキャナプロファイル補正プログラム。
【請求項４】
前記第２パッチ群の各パッチのＣＭＹ値は、ＣＭＹの少なくとも１つが１００％である、
ことを特徴とする請求項１乃至３のいずれか一に記載のスキャナプロファイル補正プログラム。
【請求項５】
前記第２パッチ群の各パッチのＣＭＹ値は、ＣＭＹの内の最大値に対する％差が２０％以内であり、彩度Ｃ*が１５以下である、
ことを特徴とする請求項１乃至４のいずれか一に記載のスキャナプロファイル補正プログラム。
【請求項６】
前記スキャナプロファイル補正用カラーパッチを含むカラーチャートは、プリンタキャリブレーション用カラーチャート又はプリンタプロファイル作成用カラーチャートである、
ことを特徴とする請求項１乃至５のいずれか一に記載のスキャナプロファイル補正プログラム。
【請求項７】
プリンタとスキャナと測色器とを含む印刷システムにおけるスキャナプロファイル補正方法であって、
前記プリンタは、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷し、
前記スキャナは、前記スキャナプロファイル補正用カラーパッチを測定してＲＧＢ値を取得し、
前記測色器は、前記スキャナプロファイル補正用カラーパッチを測定して色彩値を取得し、
前記プリンタと前記スキャナと前記測色器とを制御する装置は、
予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出する第１相関算出処理と、
前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する第２相関算出処理と、
前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出する差分算出処理と、
算出した差分から、前記スキャナプロファイルを補正するための、Ｒ、Ｇ、Ｂ各々の補正テーブルを作成するテーブル作成処理と、を実行する、
ことを特徴とするスキャナプロファイル補正方法。
【請求項８】
前記色彩値は、Ｌ*ａ*ｂ*であり、
前記第１相関算出処理及び前記第２相関算出処理では、ＲＧＢの各要素と色彩値の明度要素との相関として、ＲとＬ*との相関、ＧとＬ*との相関、ＢとＬ*との相関を算出し、
前記差分算出処理では、色彩値の明度要素に対するＲＧＢの各要素の差分として、Ｌ*に対するＲ、Ｇ、Ｂ各々の差分を算出する、
ことを特徴とする請求項７に記載のスキャナプロファイル補正方法。
【請求項９】
前記第１パッチ群は、K値が０％及び１００％の２つのパッチを含む、
ことを特徴とする請求項７又は８に記載のスキャナプロファイル補正方法。
【請求項１０】
前記第２パッチ群の各パッチのＣＭＹ値は、ＣＭＹの少なくとも１つが１００％である、
ことを特徴とする請求項７乃至９のいずれか一に記載のスキャナプロファイル補正方法。
【請求項１１】
前記第２パッチ群の各パッチのＣＭＹ値は、ＣＭＹの内の最大値に対する％差が２０％以内であり、彩度Ｃ*が１５以下である、
ことを特徴とする請求項７乃至１０のいずれか一に記載のスキャナプロファイル補正方法。
【請求項１２】
前記スキャナプロファイル補正用カラーパッチを含むカラーチャートは、プリンタキャリブレーション用カラーチャートであり、
前記プリンタは、前記スキャナプロファイル及び前記補正テーブルを利用して、前記プリンタキャリブレーション用カラーチャートの前記スキャナプロファイル補正用カラーパッチ以外のパッチのＲＧＢ値から色彩値を算出し、算出した色彩値を用いてプリンタキャリブレーションテーブルを作成する、
ことを特徴とする請求項７乃至１１のいずれか一に記載のスキャナプロファイル補正方法。
【請求項１３】
前記スキャナプロファイル補正用カラーパッチを含むカラーチャートは、プリンタプロファイル作成用カラーチャートであり、
前記プリンタは、前記スキャナプロファイル及び前記補正テーブルを利用して、前記プリンタプロファイル作成用カラーチャートの前記スキャナプロファイル補正用カラーパッチ以外のパッチのＲＧＢ値から色彩値を算出し、算出した色彩値を用いてプリンタプロファイルを作成する、
ことを特徴とする請求項７乃至１１のいずれか一に記載のスキャナプロファイル補正方法。
【請求項１４】
複数の前記印刷システムが、管理サーバに接続され、
前記管理サーバは、
各々の前記印刷システムの前記装置から受信した前記スキャナプロファイルの補正情報を記憶するデータベースを備え、
スキャナ種、用紙種及びプリンタ種が等しい前記補正情報を比較し、前記Ｒ、Ｇ、Ｂの差分が予め定めた閾値よりも大きい前記補正情報を送信した前記印刷システムに対して、警告を通知する、
ことを特徴とする請求項７乃至１３のいずれか一に記載のスキャナプロファイル補正方法。
【請求項１５】
印刷エンジンとインラインスキャナとインライン測色器とを備えるプリンタであって、
前記印刷エンジンに、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷させ、前記インラインスキャナに、前記スキャナプロファイル補正用カラーパッチを測定させてＲＧＢ値を取得させ、前記インライン測色器に、前記スキャナプロファイル補正用カラーパッチを測定させて色彩値を取得させる制御部を備え、
前記制御部は、
予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出すると共に、前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する相関算出部と、
前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出し、算出した差分から、前記スキャナプロファイルを補正するための、Ｒ、Ｇ、Ｂ各々の補正テーブルを作成するスキャナプロファイル補正部と、を備える、
ことを特徴とするプリンタ。
【請求項１６】
前記色彩値は、Ｌ*ａ*ｂ*であり、
前記相関算出部は、ＲＧＢの各要素と色彩値の明度要素との相関として、ＲとＬ*との相関、ＧとＬ*との相関、ＢとＬ*との相関を算出し、
前記スキャナプロファイル補正部は、色彩値の明度要素に対するＲＧＢの各要素の差分として、Ｌ*に対するＲ、Ｇ、Ｂ各々の差分を算出する、
ことを特徴とする請求項１５に記載のプリンタ。
【請求項１７】
前記第１パッチ群は、K値が０％及び１００％の２つのパッチを含む、
ことを特徴とする請求項１５又は１６に記載のプリンタ。
【請求項１８】
前記第２パッチ群の各パッチのＣＭＹ値は、ＣＭＹの少なくとも１つが１００％である、
ことを特徴とする請求項１５乃至１７のいずれか一に記載のプリンタ。
【請求項１９】
前記第２パッチ群の各パッチのＣＭＹ値は、ＣＭＹの内の最大値に対する％差が２０％以内であり、彩度Ｃ*が１５以下である、
ことを特徴とする請求項１５乃至１８のいずれか一に記載のプリンタ。
【請求項２０】
前記スキャナプロファイル補正用カラーパッチを含むカラーチャートは、プリンタキャリブレーション用カラーチャートであり、
前記制御部は、
前記スキャナプロファイル及び前記補正テーブルを利用して、前記プリンタキャリブレーション用カラーチャートの前記スキャナプロファイル補正用カラーパッチ以外のパッチのＲＧＢ値から色彩値を算出し、算出した色彩値を用いてプリンタキャリブレーションテーブルを作成する、
ことを特徴とする請求項１５乃至１９のいずれか一に記載のプリンタ。
【請求項２１】
前記スキャナプロファイル補正用カラーパッチを含むカラーチャートは、プリンタプロファイル作成用カラーチャートであり、
前記制御部は、
前記スキャナプロファイル及び前記補正テーブルを利用して、前記プリンタプロファイル作成用カラーチャートの前記スキャナプロファイル補正用カラーパッチ以外のパッチのＲＧＢ値から色彩値を算出し、算出した色彩値を用いてプリンタプロファイルを作成する、
ことを特徴とする請求項１５乃至１９のいずれか一に記載のプリンタ。
【発明の詳細な説明】
【技術分野】
【０００１】
本発明は、スキャナプロファイル補正プログラム、スキャナプロファイル補正方法及びプリンタに関し、特に、スキャナプロファイルを補正するための補正テーブルを作成するスキャナプロファイル補正プログラム、スキャナプロファイル補正方法及びインラインスキャナとインライン測色器とを備えるプリンタに関する。
【背景技術】
【０００２】
スキャナやプリンタなどのデバイスでは、当該デバイスが出力するデバイス値（ＲＧＢ値やＣＭＹＫ値）はデバイスに依存した値になることから、このデバイス値をデバイスに依存しない値に変換するための色変換テーブル（デバイスプロファイル）を作成し、デバイスプロファイルを用いて色変換が行われる。このデバイスプロファイルを作成する方法として、例えば、スキャナプロファイルを作成する場合は、プリンタで出力した色票（カラーチャート）をスキャナと測色器とで測定し、スキャナで測定して得たＲＧＢ値と測色器で測定して得たCIE 1976色空間のＬ*ａ*ｂ*値やCIE 1931色空間のＸＹＺ値など（これらを総称して色彩値と呼ぶ。）とを対応付けることによってスキャナプロファイルを作成することができる。
【０００３】
上記手順で予め作成されたスキャナプロファイルを使用して、スキャナで測定をして得たデバイス値を色変換したとき、プリンタ組立時にオフセット印刷等で作成した基準チャートを使用して、ある基準状態に合わせるためのキャリブレーションを実施しているにも関わらず、スキャナの機差（機種が同じでロットが異なる機器の差）や出力用紙の影響による色精度の劣化が生じる。そこで、そのような場合は、スキャナプロファイルを補正する必要がある。
【０００４】
スキャナプロファイルを補正する方法として、市販のソフトウェアを用い、プリンタで再度出力したカラーチャートをスキャナと測色器とで測定することによってスキャナプロファイルを作成し直す方法がある。また、スキャナ特性が変動した時にスキャナプロファイルを補正する技術に関して、下記特許文献１には、スキャナ等の機器特性の変動により色調整が必要になった時、スキャナプロファイルの再作成の演算を外部の高速なデバイスに行わせて、画像処理装置の負荷を減らす技術が記載されている。
【０００５】
また、スキャナプロファイルの補正に関する技術ではないが、デバイスリンクプロファイルを補正する技術に関して、下記特許文献２には、デバイス非依存のプロファイルデータが存在しないデバイスリンクプロファイルに対して階調補正を行なうために、デバイスリンクプロファイルをＫ値毎に分割することにより、Ｃ、Ｍ、Ｙの各色の入力値を組み合わせた格子点毎に出力値データが規定されている３次元パラメータを生成し、この３次元パラメータからＣ、Ｍ、Ｙのいずれかが１００％となる格子点を対象格子点として抽出し、抽出された対象格子点毎に、出力値がつぶれているつぶれ範囲（階調補正対象範囲）を判定し、つぶれ範囲の格子点を調整点として、階調がつぶれないパラメータに調整する技術が記載されている。
【先行技術文献】
【特許文献】
【０００６】
【特許文献１】特開２００６−０３３５７２号公報
【特許文献２】特開２００８−１３６０６５号公報
【発明の概要】
【発明が解決しようとする課題】
【０００７】
スキャナプロファイルを補正するにあたり、上述した市販のソフトウェアや特許文献１の技術を利用する方法ではスキャナプロファイルを最初から作り直す必要があるため、スキャナプロファイルの補正に時間がかかる。また、これらの方法では、スキャナプロファイルを補正する度に、スキャナプロファイル作成用のカラーチャートを出力しなければならないため、時間や資源の無駄が生じる。
【０００８】
また、特許文献２は、入力のＣＭＹＫ値が固定のときに成り立つ技術であり、プリンタ特性が変動した状態で出力したカラーチャートをスキャナと測色器とで測定すると、ＲＧＢ値とＬ*ａ*ｂ*値とが共に変動するため、この技術をスキャナプロファイルの補正に適用することはできない。
【０００９】
本発明は、上記問題点に鑑みてなされたものであって、その主たる目的は、スキャナプロファイルの補正を出力時に毎回、簡便に実施することができ、スキャナプロファイルの色域全体を高い精度で補正することができるスキャナプロファイル補正プログラム、スキャナプロファイル補正方法及びプリンタを提供することにある。
【課題を解決するための手段】
【００１０】
本発明の一側面は、プリンタとスキャナと測色器と含む印刷システム内の装置で動作するスキャナプロファイル補正プログラムであって、前記装置に、前記プリンタが、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷し、前記スキャナが前記スキャナプロファイル補正用カラーパッチを測定して得たＲＧＢ値及び前記測色器が前記スキャナプロファイル補正用カラーパッチを測定して得た色彩値を取得する第１処理、予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出する第２処理、前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する第３処理、前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出する第４処理、算出した差分から、前記スキャナプロファイルを補正するための、Ｒ、Ｇ、Ｂ各々の補正テーブルを作成する第５処理、を実行させることを特徴とする。
【００１１】
本発明の一側面は、プリンタとスキャナと測色器とを含む印刷システムにおけるスキャナプロファイル補正方法であって、前記プリンタは、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷し、前記スキャナは、前記スキャナプロファイル補正用カラーパッチを測定してＲＧＢ値を取得し、前記測色器は、前記スキャナプロファイル補正用カラーパッチを測定して色彩値を取得し、前記プリンタと前記スキャナと前記測色器とを制御する装置は、予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出する第１相関算出処理と、前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する第２相関算出処理と、前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出する差分算出処理と、算出した差分から、前記スキャナプロファイルを補正するための、Ｒ、Ｇ、Ｂ各々の補正テーブルを作成するテーブル作成処理と、を実行することを特徴とする。
【００１２】
本発明の一側面は、印刷エンジンとインラインスキャナとインライン測色器とを備えるプリンタであって、前記印刷エンジンに、ＣＭＹＫのＫ値を０％から段階的に増加させ、ＣＭＹ値を各々０％に設定した第１パッチ群と、前記第１パッチ群の各パッチの前記ＣＭＹ値を各々０％よりも大きい略同一の値に設定した第２パッチ群と、で構成されるスキャナプロファイル補正用カラーパッチを含むカラーチャートを印刷させ、前記インラインスキャナに、前記スキャナプロファイル補正用カラーパッチを測定させてＲＧＢ値を取得させ、前記インライン測色器に、前記スキャナプロファイル補正用カラーパッチを測定させて色彩値を取得させる制御部を備え、前記制御部は、予めスキャナプロファイル作成用カラーチャートを測定して作成したスキャナプロファイルを記憶部から読み込み、前記スキャナプロファイル作成用カラーチャートの各パッチのＫ値情報を取得し、前記スキャナプロファイルに基づいて、Ｋ値毎に、ＲＧＢの各要素と色彩値の明度要素との相関を算出すると共に、前記スキャナプロファイル補正用カラーパッチのＫ値情報を取得し、前記スキャナプロファイル補正用カラーパッチの測定値に基づいて、Ｋ値毎に、ＲＧＢの各要素と色彩値の明度要素との相関を算出する相関算出部と、前記スキャナプロファイルから算出した相関と、前記スキャナプロファイル補正用カラーパッチの測定値から算出した相関と、に基づいて、Ｋ値毎に色彩値の明度要素に対するＲＧＢの各要素の差分を算出し、算出した差分から、前記スキャナプロファイルを補正するための、Ｒ、Ｇ、Ｂ各々の補正テーブルを作成するスキャナプロファイル補正部と、を備えることを特徴とする。
【発明の効果】
【００１３】
本発明のスキャナプロファイル補正プログラム、スキャナプロファイル補正方法及びプリンタによれば、スキャナプロファイルの補正を出力時に毎回、簡便に実施することができ、スキャナプロファイルの色域全体を高い精度で補正することができる。
【００１４】
その理由は、プリンタとスキャナと測色器と含む印刷システム内の装置では、プリンタが、ＣＭＹＫのＫ値を０％から段階的に増加させ、ＣＭＹ値を各々０％に設定した第１パッチ群と、第１パッチ群の各パッチのＣＭＹ値を各々０％よりも大きい略同一の値に設定した第２パッチ群と、で構成されるスキャナプロファイル補正用カラーパッチを含むカラーチャートを印刷し、スキャナ及び測色器が、スキャナプロファイル補正用カラーパッチを測定して得たＲＧＢ値及び色彩値を取得する第１処理と、予めスキャナプロファイル作成用カラーチャートを測定して作成したスキャナプロファイルを記憶部から読み込み、スキャナプロファイル作成用カラーチャートの各パッチのＫ値情報を取得し、スキャナプロファイルに基づいて、Ｋ値毎に、ＲＧＢの各要素と色彩値の明度要素との相関を算出する第２処理と、スキャナプロファイル補正用カラーパッチのＫ値情報を取得し、スキャナプロファイル補正用カラーパッチの測定値に基づいて、Ｋ値毎に、ＲＧＢの各要素と色彩値の明度要素との相関を算出する第３処理と、スキャナプロファイルから算出した相関と、スキャナプロファイル補正用カラーパッチの測定値から算出した相関と、に基づいて、Ｋ値毎に色彩値の明度要素に対するＲＧＢの各要素の差分を算出する第４処理と、算出した差分から、スキャナプロファイルを補正するための、Ｒ、Ｇ、Ｂ各々の補正テーブルを作成する第５処理と、を実行するからである。
【図面の簡単な説明】
【００１５】
【図１】本発明の一実施例に係る印刷システムの構成例を示す模式図である。
【図２】本発明の一実施例に係るプロファイル作成装置の構成を示すブロック図である。
【図３】本発明の一実施例に係るプリンタ（スキャナ及び測色器を含む場合）の構成例を示す模式図である。
【図４】本発明の一実施例に係るプリンタ（プロファイル作成装置、スキャナ及び測色器を含む場合）の構成を示すブロック図である。
【図５】本発明の一実施例に係るプロファイル作成装置の機能を備えるプリンタの動作（スキャナプロファイルの作成手順）を示すフローチャート図である。
【図６】本発明の一実施例に係るプロファイル作成装置の機能を備えるプリンタの動作（スキャナプロファイルの補正手順）を示すフローチャート図である。
【図７】本発明の一実施例に係るプロファイル作成装置の機能を備えるプリンタの動作（スキャナプロファイル補正ステップの詳細）を示すフローチャート図である。
【図８】本発明の一実施例に係るプロファイル作成装置の機能を備えるプリンタの動作（補正したスキャナプロファイル（補正テーブル）の使用例１）を示すフローチャート図である。
【図９】本発明の一実施例に係るプロファイル作成装置の機能を備えるプリンタの動作（補正したスキャナプロファイル（補正テーブル）の使用例２）を示すフローチャート図である。
【図１０】本発明の一実施例に係るプロファイル作成装置の機能を備えるプリンタの動作（色彩値算出ステップの詳細）を示すフローチャート図である。
【図１１】スキャナプロファイルのグリッドを説明する図である。
【図１２】本発明の一実施例に係るスキャナプロファイル（色変換テーブル）の一例である。
【図１３】本発明の一実施例に係るスキャナプロファイル補正用カラーパッチを含むカラーチャートの一例を示す図である。
【図１４】本発明の一実施例に係るスキャナプロファイル補正用カラーパッチの一例である。
【図１５】本発明の一実施例に係るＫ値毎のＲ、Ｇ、ＢとＬ*との関係を示す模式図である。
【図１６】本発明の一実施例に係るスキャナプロファイル補正方法を説明する模式図である。
【図１７】本発明の一実施例に係る１次元補正テーブルを示す模式図である。
【図１８】本発明の一実施例に係るクラウド連携システムの一例を示す模式図である。
【図１９】本発明の一実施例に係るクラウド管理サーバの動作（クラウド色管理データベースの登録と利用方法）を示すフローチャート図である。
【発明を実施するための形態】
【００１６】
背景技術で示したように、プリンタで出力したカラーチャートをスキャナと測色器とで測定し、スキャナで測定して得たＲＧＢ値と測色器で測定して得た色彩値とを対応付けることによってスキャナプロファイルを作成することができる。スキャナプロファイルには、一定間隔のＲＧＢ値に対する色彩値（Ｌ*ａ*ｂ*値又はＸＹＺ値）が紐付けられており、デバイス値をデバイスに依存しない色に変換することにより、プリンタで所望の色を出力することができる。
【００１７】
しかしながら、実際の出力時には、スキャナプロファイル作成時とはスキャナ機差があり、また、出力用紙も異なるため、ＲＧＢ値と色彩値との対応にずれが生じ、高精度を求めるユーザにとっては、満足できる精度が得られなくなり、特にプリンタ色域の内側の精度劣化が問題となる。
【００１８】
また、このずれを解消するためにスキャナプロファイルを作り直す方法が考えられるが、スキャナプロファイルを最初から作り直すと、スキャナプロファイルの補正に時間がかかる。また、スキャナプロファイルを補正するためにスキャナプロファイル作成用カラーチャートを出力すると、時間や資源の無駄が生じる。
【００１９】
そこで、本発明の一実施の形態では、プリンタとスキャナと測色器と含む印刷システムにおいて、まず、スキャナプロファイル補正用カラーパッチ（Ｋ０％を含むＫパッチとＫパッチのＫ値を含むグレーパッチ）を含むカラーチャートをプリンタで出力し、出力したカラーチャートをスキャナ及び測色器で測定してＲＧＢ値及び色彩値を取得する。次に、予めスキャナプロファイル作成用カラーチャートを測定して作成したスキャナプロファイルを記憶部から読み込み、スキャナプロファイル作成用カラーチャートの各パッチのＫ値情報を取得し、スキャナプロファイルに基づいて、Ｋ値毎に、ＲＧＢの各要素と色彩値の明度要素との相関（例えば、ＲとＬ*との相関、ＧとＬ*との相関、ＢとＬ*との相関）を算出すると共に、スキャナプロファイル補正用カラーパッチのＫ値情報を取得し、スキャナプロファイル補正用カラーパッチの測定値に基づいて、Ｋ値毎に、ＲＧＢの各要素と色彩値の明度要素との相関（同様に、ＲとＬ*との相関、ＧとＬ*との相関、ＢとＬ*との相関）を算出する。そして、スキャナプロファイルから算出した相関と、スキャナプロファイル補正用カラーパッチの測定値から算出した相関と、に基づいて、Ｋ値毎に色彩値の明度要素に対するＲＧＢの各要素の差分（例えば、Ｌ*に対するＲ、Ｇ、Ｂの差分）を算出し、この差分から、スキャナプロファイルを補正するための、Ｒ、Ｇ、Ｂ各々の補正テーブルを作成する。これにより、現在のプリンタ条件（スキャナ機差、用紙、プリンタ状態）でのスキャナプロファイルのＲＧＢ値と色彩値との対応のずれを少ないパッチでプリンタ色域全体にわたり把握し、補正することができる。
【００２０】
また、印刷エンジンとインラインスキャナとインライン測色器とを備えるプリンタを用いて、スキャナプロファイル補正用カラーパッチを含むカラーチャートをインラインスキャナ及びインライン測色器の両方で測定（＝ハイブリッド測定）し、ハイブリッド測定で得たＲＧＢ値及び色彩値を用いて、スキャナプロファイルを補正する。これにより、よりリアルタイムにユーザの手間をかけることなく補正が可能になる。
【００２１】
また、スキャナプロファイルの補正情報をクラウド色管理データベースに登録し、複数のプリンタの補正情報の中から、同じ環境条件（スキャナ種、用紙種、プリンタ種）のデータを比較し、補正量が閾値を超えるプリンタは、対応が必要なプリンタとして抽出する。これにより、スキャナの清掃などのメンテナンスや印刷エンジン調整などの対応方法を通知することが可能となる。
【００２２】
なお、カラーパッチのＫ、Ｃ、Ｍ、Ｙ値を各々、α、β１、β２、β３とした場合、本明細書におけるＫパッチは、αが０％〜１００％の範囲で変化し、β１、β２、β３が０％のパッチ（言い換えると、ＣＭＹＫのＫ値を０％から段階的に増加させ、ＣＭＹ値を各々０％に設定した第１パッチ群）である。また、ＫパッチのＫ値を含むグレーパッチは、αが０％〜１００％の範囲で変化し、β１、β２、β３が略同一のパッチ（言い換えると、第１パッチ群の各パッチのＣＭＹ値を各々０％よりも大きい略同一の値に設定した第２パッチ群）である。β１、β２、β３が略同一とは、β１、β２、β３の内の最大％値をβmaxとした場合に、βmaxとβ１、β２、β３の各々の％差が２０％以内、且つ、下記式で表される彩度Ｃ*が１５以下になる範囲とすることができる。
【００２３】
彩度Ｃ*＝（ａ*２＋ｂ*２）１／２
【実施例】
【００２４】
上記した本発明の一実施の形態についてさらに詳細に説明すべく、本発明の一実施例に係るスキャナプロファイル補正プログラム、スキャナプロファイル補正方法及びプリンタについて、図１乃至図１９を参照して説明する。図１は、本実施例の印刷システムの構成例を示す模式図であり、図２は、本実施例のプロファイル作成装置の構成を示すブロック図である。また、図３は、本実施例のプリンタ（スキャナ及び測色器を含む場合）の構成例を示す模式図、図４は、プリンタ（プロファイル作成装置、スキャナ及び測色器を含む場合）の構成を示すブロック図であり、図５乃至図１０は、本実施例のプロファイル作成装置の機能を備えるプリンタの動作を示すフローチャート図である。また、図１１は、スキャナプロファイルのグリッドを説明する図であり、図１２は、スキャナプロファイル（色変換テーブル）の一例である。また、図１３は、スキャナプロファイル補正用カラーパッチを含むカラーチャートの一例であり、図１４は、スキャナプロファイル補正用カラーパッチの一例である。また、図１５は、Ｋ値毎のＲ、Ｇ、ＢとＬ*との関係を示す模式図であり、図１６は、スキャナプロファイル補正方法を説明する模式図、図１７は、１次元補正テーブルを示す模式図である。また、図１８は、本実施例のクラウド連携システムの一例を示す模式図であり、図１９は、クラウド管理サーバの動作を示すフローチャート図である。
【００２５】
図１に示すように、本実施例の印刷システムは、出力指示端末１０と、コントローラ２０と、プロファイル作成装置３０と、プリンタ４０と、スキャナ５０と、測色器６０などで構成される。これらはイーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク７０を介して接続されている。なお、コントローラ２０とプリンタ４０とはＰＣＩ（Peripheral Component Interconnect）接続など、専用線で接続されていてもよい。
【００２６】
出力指示端末１０は、クライアントのコンピュータ装置であり、プリンタドライバや専用のソフトウェアを用いて、コントローラ２０に印刷指示を行うジョブ（印刷データ）を発行する。
【００２７】
コントローラ２０は、出力指示端末１０から受信した印刷データの色変換処理、ラスタライズ処理、スクリーニング処理等の演算処理を行い、ラスタデータ（画像データ）を生成してプリンタ４０に送信する。上記色変換にはプロファイル作成装置３０が作成したスキャナプロファイルやプリンタプロファイルを用いて行うことになる。
【００２８】
プロファイル作成装置３０は、プリンタ４０から出力されたカラーチャートを測定して得たＲＧＢ値及び色彩値（Ｌ*ａ*ｂ*、ＸＹＺなど、本実施例ではＬ*ａ*ｂ*とする。）を用いてスキャナプロファイルを作成／補正する。このプロファイル作成装置３０の詳細な構成は後述する。
【００２９】
プリンタ４０は、コントローラ２０から画像データを受け取り、画像データに基づく画像を用紙上に形成して出力する。このプリンタ４０の詳細な構成も後述する。
【００３０】
スキャナ５０は、例えば、ＲＧＢの３種類のセンサで構成され、プリンタ４０から出力されたカラーチャートを測定し、ＲＧＢ値を出力する。
【００３１】
測色器６０は、光の波長ごとに計測可能な分光測色器であり、プリンタ４０から出力されたカラーチャートを測定し、色彩値を出力する。
【００３２】
なお、図１は本実施例の印刷システムの一例であり、その構成は適宜変更可能である。例えば、コントローラ２０はプリンタ４０に内蔵される構成としてもよいし、プロファイル作成装置３０はコントローラ２０やプリンタ４０に内蔵される構成としてもよいし、スキャナ５０や測色器６０はプリンタ４０に内蔵される構成としてもよい。以下、プロファイル作成装置３０とプリンタ４０について詳細に説明する。
【００３３】
［プロファイル作成装置］
プロファイル作成装置３０は、図２（ａ）に示すように、制御部３１、記憶部３５、ネットワークＩ／Ｆ部３６、表示部３７、操作部３８などで構成される。
【００３４】
制御部３１は、ＣＰＵ（Central Processing Unit）３２とＲＯＭ（Read Only Memory）３３やＲＡＭ（Random Access Memory）３４などのメモリとで構成され、ＣＰＵ３２は、ＲＯＭ３３や記憶部３５に記憶した制御プログラムをＲＡＭ３４に展開して実行することにより、プロファイル作成装置３０全体の動作を制御する。
【００３５】
記憶部３５は、ＨＤＤ（Hard Disk Drive）やＳＳＤ（Solid State Drive）などで構成され、ＣＰＵ３２が各部を制御するためのプログラム、自装置の処理機能に関する情報、作成又は補正したスキャナプロファイルなどを記憶する。
【００３６】
ネットワークＩ／Ｆ部３６は、ＮＩＣ（Network Interface Card）やモデムなどで構成され、プロファイル作成装置３０を通信ネットワーク７０に接続し、コントローラ２０やプリンタ４０、スキャナ５０、測色器６０とのデータ通信を可能にする。
【００３７】
表示部３７は、ＬＣＤ（Liquid Crystal Display）や有機ＥＬ（Electro Luminescence）ディスプレイなどであり、スキャナプロファイルの作成や補正に関する各種画面を表示する。
【００３８】
操作部３８は、マウス、キーボード、ハードスイッチなどであり、スキャナプロファイルの作成や補正に関する各種操作を可能にする。
【００３９】
上記制御部３１は、図２（ｂ）に示すように、ＲＧＢ値取得部３１ａ、色彩値取得部３１ｂ、スキャナプロファイル作成部３１ｃ、相関算出部３１ｄ、スキャナプロファイル補正部３１ｅなどとしても機能する。
【００４０】
ＲＧＢ値取得部３１ａは、スキャナプロファイル作成時においては、スキャナ５０（又は後述するプリンタ４０のインラインスキャナ４９ａ）から、スキャナプロファイル作成用カラーチャートの各パッチのＲＧＢ値を取得する。また、スキャナプロファイル補正時においては、スキャナ５０（又はインラインスキャナ４９ａ）から、スキャナプロファイル補正用カラーチャートの各パッチ（少なくとも、スキャナプロファイル補正用カラーパッチ）のＲＧＢ値を取得する。
【００４１】
色彩値取得部３１ｂは、スキャナプロファイル作成時においては、測色器６０（又は後述するプリンタ４０のインライン測色器４９ｂ）から、スキャナプロファイル作成用カラーチャートの各パッチの色彩値を取得する。また、スキャナプロファイル補正時においては、測色器６０（又はインライン測色器４９ｂ）から、スキャナプロファイル補正用カラーチャートのスキャナプロファイル補正用カラーパッチの色彩値を取得する。
【００４２】
スキャナプロファイル作成部３１ｃは、スキャナプロファイル作成時にＲＧＢ値取得部３１ａが取得したＲＧＢ値と色彩値取得部３１ｂが取得した色彩値とを対応付けるスキャナプロファイル（色変換テーブル）を作成し、記憶部３５などに記憶する。
【００４３】
相関算出部３１ｄは、記憶部３５などからスキャナプロファイルを読み込み、スキャナプロファイル作成用カラーチャートの各パッチのＫ値情報を取得し、スキャナプロファイルに基づいて、Ｋ値毎に、ＲＧＢの各要素と色彩値の明度要素との相関（本実施例では、ＲとＬ*との相関、ＧとＬ*との相関、ＢとＬ*との相関、以下、Ｒ／Ｌ*、Ｇ／Ｌ*、Ｂ／Ｌ*の相関と表記する。）を算出する。また、スキャナプロファイル補正用カラーチャートのスキャナプロファイル補正用カラーパッチのＫ値情報を取得し、スキャナプロファイル補正用カラーパッチの測定値に基づいて、Ｋ値毎に、ＲＧＢの各要素と色彩値の明度要素との相関（同様に、Ｒ／Ｌ*、Ｇ／Ｌ*、Ｂ／Ｌ*の相関）を算出する。
【００４４】
スキャナプロファイル補正部３１ｅは、スキャナプロファイルから算出したＫ値毎のＲ／Ｌ*、Ｇ／Ｌ*、Ｂ／Ｌ*の相関と、スキャナプロファイル補正用カラーパッチの測定値から算出したＫ値毎のＲ／Ｌ*、Ｇ／Ｌ*、Ｂ／Ｌ*の相関と、に基づいて、Ｋ値毎に色彩値の明度要素に対するＲＧＢの各要素の差分（Ｌ*に対するＲ、Ｇ、Ｂ各々の差分）を算出し、算出した差分から、スキャナプロファイルを補正するための、Ｒ、Ｇ、Ｂ各々の補正テーブル（以下、１次元補正テーブルと呼ぶ。）を作成する。
【００４５】
上記ＲＧＢ値取得部３１ａ、色彩値取得部３１ｂ、スキャナプロファイル作成部３１ｃ、相関算出部３１ｄ、スキャナプロファイル補正部３１ｅは、ハードウェアとして構成してもよいし、制御部３１を、ＲＧＢ値取得部３１ａ、色彩値取得部３１ｂ、スキャナプロファイル作成部３１ｃ、相関算出部３１ｄ、スキャナプロファイル補正部３１ｅ（特に、ＲＧＢ値取得部３１ａ、色彩値取得部３１ｂ、相関算出部３１ｄ、スキャナプロファイル補正部３１ｅ）として機能させるスキャナプロファイル補正プログラムとして構成し、当該スキャナプロファイル補正プログラムをＣＰＵ３２に実行させる構成としてもよい。
【００４６】
［プリンタ］
プリンタ４０は、ＭＦＰ（Multi-Functional Peripherals）などの画像形成装置であり、スキャナプロファイル作成用カラーチャートやスキャナプロファイル補正用カラーチャートなどを出力する。なお、図１では、プリンタ４０とスキャナ５０と測色器６０とを別々の装置としているが、図３に示すように、プリンタ４０にスキャナ５０及び測色器６０が内蔵される構成としてもよい。このプリンタ４０は、図４（ａ）に示すように、制御部４１、記憶部４５、ネットワークＩ／Ｆ部４６、表示操作部４７、画像処理部４８、印刷処理部４９などで構成される。
【００４７】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、プリンタ４０全体の動作を制御する。
【００４８】
記憶部４５は、ＨＤＤやＳＳＤなどで構成され、ＣＰＵ４２が各部を制御するためのプログラム、自装置の処理機能に関する情報、スキャナプロファイル、プリンタプロファイルなどを記憶する。
【００４９】
ネットワークＩ／Ｆ部４６は、ＮＩＣやモデムなどで構成され、プリンタ４０を通信ネットワーク７０に接続し、コントローラ２０やプロファイル作成装置３０などとのデータ通信を可能にする。
【００５０】
表示操作部４７は、表示部上に透明電極が格子状に配置された感圧式の操作部（タッチセンサ）を設けたタッチパネルなどであり、印刷処理に関する各種画面を表示し、印刷に関する各種操作を可能にする。また、プリンタ４０がプロファイル作成装置３０の機能を備える場合は、表示操作部４７は、スキャナプロファイルの作成や補正に関する各種画面を表示し、スキャナプロファイルの作成や補正に関する各種操作を可能にする。
【００５１】
画像処理部４８は、プリンタ４０がコントローラ２０の機能を備える場合に設けられ、出力指示端末１０によって発行されたジョブ（印刷データ）に対して、色変換、スクリーニング、ラスタライズ等の画像処理を行い、画像処理後のラスタデータ（画像データ）を印刷処理部４９に転送する。
【００５２】
印刷処理部（印刷エンジン）４９は、画像処理後の画像データに基づいて印刷処理を実行する。この印刷処理部４９は、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行う。また、プリンタ４０がスキャナ５０及び測色器６０の機能を備える場合、印刷処理部４９は、インラインスキャナ４９ａ及びインライン測色器４９ｂを含む。
【００５３】
インラインスキャナ４９ａは、例えば、ＲＧＢの３種類のセンサで構成され、ＲＧＢセンサでカラーチャートの全領域を測定し、ＲＧＢ値を出力する。
【００５４】
インライン測色器４９ｂは、例えば、外部測色器と同様に光の波長ごとに計測可能な分光測色器であり、外部測色器と同様な精度でカラーチャートの一部の領域を測定し、色彩値（Ｌ*ａ*ｂ*値、ＸＹＺ値など）を出力する。
【００５５】
プリンタ４０がプロファイル作成装置３０の機能を備える場合、上記制御部４１は、図４（ｂ）に示すように、スキャナプロファイル作成部４１ａ、相関算出部４１ｂ、スキャナプロファイル補正部４１ｃなどとしても機能する。
【００５６】
スキャナプロファイル作成部４１ａは、スキャナプロファイル作成時にインラインスキャナ４９ａがカラーチャートから読み取ったＲＧＢ値とインライン測色器４９ｂがカラーチャートから読み取った色彩値とを対応付けるスキャナプロファイル（色変換テーブル）を作成し、記憶部４５などに記憶する。
【００５７】
相関算出部４１ｂは、上述したように、記憶部４５などからスキャナプロファイルを読み込み、スキャナプロファイル作成用カラーチャートの各パッチのＫ値情報を取得し、スキャナプロファイルに基づいて、Ｋ値毎に、ＲＧＢの各要素と色彩値の明度要素との相関（Ｒ／Ｌ*、Ｇ／Ｌ*、Ｂ／Ｌ*の相関）を算出する。また、スキャナプロファイル補正用カラーチャートのスキャナプロファイル補正用カラーパッチのＫ値情報を取得し、スキャナプロファイル補正用カラーパッチの測定値に基づいて、Ｋ値毎に、ＲＧＢの各要素と色彩値の明度要素との相関（Ｒ／Ｌ*、Ｇ／Ｌ*、Ｂ／Ｌ*の相関）を算出する。
【００５８】
スキャナプロファイル補正部４１ｃは、上述したように、スキャナプロファイル作成用カラーチャートから算出したＫ値毎のＲ／Ｌ*、Ｇ／Ｌ*、Ｂ／Ｌ*の相関と、スキャナプロファイル補正用カラーチャートから算出したＫ値毎のＲ／Ｌ*、Ｇ／Ｌ*、Ｂ／Ｌ*の相関と、に基づいて、Ｋ値毎に色彩値の明度要素に対するＲＧＢの各要素の差分（Ｌ*に対するＲ、Ｇ、Ｂ各々の差分）を算出し、算出した差分から、スキャナプロファイルを補正するための、Ｒ、Ｇ、Ｂ各々の１次元補正テーブルを作成する。
【００５９】
上記スキャナプロファイル作成部４１ａ、相関算出部４１ｂ、スキャナプロファイル補正部４１ｃは、ハードウェアとして構成してもよいし、制御部４１を、スキャナプロファイル作成部４１ａ、相関算出部４１ｂ、スキャナプロファイル補正部４１ｃ（特に、相関算出部４１ｂ、スキャナプロファイル補正部４１ｃ）として機能させるスキャナプロファイル補正プログラムとして構成し、当該スキャナプロファイル補正プログラムをＣＰＵ４２に実行させる構成としてもよい。
【００６０】
なお、図１乃至図４は、本実施例の印刷システム、プロファイル作成装置３０及びプリンタ４０の一例であり、その構成は適宜変更可能である。
【００６１】
以下、本実施例の印刷システムの動作について説明する。なお、以下のフローでは、図４のプリンタ４０を前提とし、プリンタ４０がプロファイル作成装置３０の機能を備える（すなわち、プリンタ４０の制御部４１が、スキャナプロファイル作成部４１ａ、相関算出部４１ｂ、スキャナプロファイル補正部４１ｃとして機能する）ものとして説明する。
【００６２】
まず、スキャナプロファイルを作成する手順について、図５のフローチャート図を参照して説明する。本処理は一番始めに１回だけ行えば良い。
【００６３】
［スキャナプロファイル作成手順］
プリンタ４０の印刷処理部４９は、特定条件の用紙を用いて、プリンタの色域全体を網羅するように複数パッチを配置したカラーチャート（スキャナプロファイル作成用カラーチャート）を出力する（Ｓ１０１）。スキャナ５０は、上記カラーチャートを測定し、全パッチのＲＧＢ値を取得し（Ｓ１０２）、測色器６０は、上記カラーチャートを測定し、全パッチの色彩値（Ｌ*ａ*ｂ*値）を取得する（Ｓ１０３）。
【００６４】
次に、プリンタ４０の制御部４１（スキャナプロファイル作成部４１ａ）は、カラーチャートの全点のパッチのＫ値情報を取得し、Ｋ値毎に、ＲＧＢ値と色彩値とを対応付けるスキャナプロファイル（色変換テーブル）を作成し（Ｓ１０４）、記憶部４５などに記憶する（Ｓ１０５）。図１１は、スキャナプロファイルのグリッドを示す模式図であり、一定間隔のＲＧＢ値（ここではＲＧ値）のグリッド毎に、測色器６０で測定した色彩値（Ｌ*ａ*ｂ*値）が紐付けられている。また、図１２は、スキャナプロファイルの色変換テーブルの一例であり、スキャナプロファイル作成用カラーチャートのＫ値毎に、色変換テーブルを作成する。
【００６５】
次に、出力時に行うスキャナプロファイルの補正手順について説明する。ＣＰＵ４２は、ＲＯＭ４３又は記憶部４５に記憶したスキャナプロファイル補正プログラムをＲＡＭ４４に展開して実行することにより、図６及び図７のフローチャート図に示す各ステップの処理を実行する。なお、以下では、リアルタイムの補正に効果があり、且つ、ユーザの手間を省略できるように、プリンタ４０にインラインスキャナ４９ａとインライン測色器４９ｂとを備えるものとして説明するが、これに限定されるものではない。
【００６６】
［スキャナプロファイル補正手順］
まず、プリンタ４０の印刷処理部４９は、スキャナプロファイル補正用カラーパッチを含むカラーチャート（スキャナプロファイル補正用カラーチャート）を出力したい用紙に印刷して出力する（Ｓ２０１）。図１３はこのカラーチャートの一例である。破線で囲んだ領域がインラインスキャナ４９ａによって測定される範囲であり、実線で囲んだ領域がインライン測色器４９ｂによって測定される範囲である。つまり、インライン測色器４９ｂで測定するパッチが、インラインスキャナ４９ａとインライン測色器４９ｂの両方で測定するパッチ（スキャナプロファイル補正用カラーパッチ）となる。インライン測色器４９ｂは価格などの観点から、測定可能な範囲が限定されることが多い。この状況に対応するために、本実施例では、少ないパッチで精度良くスキャナプロファイルを補正できるように、スキャナプロファイル補正用カラーパッチを構成している。
【００６７】
図１４は、スキャナプロファイル補正用カラーパッチの一例である。スキャナプロファイルの補正には、Ｋ値毎に少なくとも２点のパッチが必要となる。例えば、Ｋ４０％の場合には、Ｋ４０％、Ｃ／Ｍ／Ｙ＝０％のパッチ（Ｋパッチ）と、Ｋ４０％、Ｃ／Ｍ／Ｙ＝１００％のパッチ（グレーパッチ）を使用して補正を行う。なお、スキャナプロファイル補正用カラーパッチのＫ値は任意であるが、スキャナプロファイル作成用カラーチャートのＫ値を含むことが好ましい。特に、スキャナプロファイル作成時と実際の出力時とでは用紙が異なるため、スキャナプロファイル補正用カラーパッチは、Ｋ＝０％とＫ＝１００％のパッチを含むことが好ましい。また、上記では、グレーパッチのＣ／Ｍ／Ｙを１００％としたが、Ｃ／Ｍ／Ｙは１００％である必要はなく、明度差が十分に得られる値であればよい。また、上記ではＣ／Ｍ／Ｙを同じ値にしたが、Ｃ／Ｍ／Ｙは、最大％値との％差が２０％以内、且つ、彩度Ｃ*が１５以下であればよく、この条件内で値が異なっていても実質的にグレーパッチと見なすことができる。但し、グレーパッチのＣ／Ｍ／Ｙの少なくとも１つが１００％のパッチを使用することにより、プリンタ色域の高明度から低明度まで幅広く補正することができる。また、グレーパッチをニュートラルグレーに近いパッチとすることにより、目視で色の違いを認識しやすい、彩度が０に近いグレー色のスキャナプロファイルの補正を精度よく行うことができる。また、スキャナプロファイル補正用カラーパッチのパッチ数は、インライン測色器４９ｂで測定可能なパッチ数に応じて決定することができる。
【００６８】
次に、プリンタ４０のインラインスキャナ４９ａは、図１３に示すカラーチャートの太い破線で囲んだ領域（スキャナ読み込み領域と呼ぶ。）を測定し、全パッチのＲＧＢ値を取得する（Ｓ２０２）。
【００６９】
次に、プリンタ４０のインライン測色器４９ｂは、図１３に示すカラーチャートの太い実線で囲んだ領域（測色器読み込み領域と呼ぶ。）を測定し、測色器読み込み領域内（例えば、カラーチャートの真ん中の１ライン分）のパッチの色彩値を取得する（Ｓ２０３）。
【００７０】
次に、プリンタ４０の制御部４１（相関算出部４１ｂ及びスキャナプロファイル補正部４１ｃ）は、Ｓ２０２で取得したＲＧＢ値とＳ２０３で取得した色彩値とを用いてスキャナプロファイルを補正する（Ｓ２０４）。図７は、このステップの詳細を示している。
【００７１】
まず、プリンタ４０の制御部４１（相関算出部４１ｂ）は、記憶部４５などから予め作成したスキャナプロファイルを読み込む（Ｓ３０１）。
【００７２】
次に、プリンタ４０の制御部４１（相関算出部４１ｂ）は、読み込んだスキャナプロファイル作成用カラーチャートのＫ値情報を取得し、スキャナプロファイルに基づいて、Ｋ値毎に、Ｒ／Ｌ*、Ｇ／Ｌ*、Ｂ／Ｌ*の相関を算出する（Ｓ３０２）。図１５の破線は、Ｋ値を２０％刻みで０％から１００％まで変化させた時のＲ値又はＧ値又はＢ値とＬ*との相関を示している。
【００７３】
次に、プリンタ４０の制御部４１（相関算出部４１ｂ）は、スキャナプロファイル補正用カラーパッチのＫ値情報を取得し（Ｓ３０３）、スキャナプロファイル補正用カラーパッチの測定値（インラインスキャナ４９ａで取得したＲＧＢ値とインライン測色器４９ｂで取得した色彩値）に基づいて、Ｋ値毎に、Ｒ／Ｌ*、Ｇ／Ｌ*、Ｂ／Ｌ*の相関を算出する（Ｓ３０４）。図１５の実線は、Ｋ値を２０％刻みで０％から１００％まで変化させた時のＲ値又はＧ値又はＢ値とＬ*との相関を示している。
【００７４】
次に、プリンタ４０の制御部４１（スキャナプロファイル補正部４１ｃ）は、スキャナプロファイル及びスキャナプロファイル補正用カラーパッチの測定値の各々から算出したＲ／Ｌ*、Ｇ／Ｌ*、Ｂ／Ｌ*の相関に基づき、Ｋ値毎に、Ｌ*に対するＲ、Ｇ、Ｂ値差を算出し（Ｓ３０５）、算出したＲ、Ｇ、Ｂ値差から、スキャナプロファイルを補正するための、Ｒ、Ｇ、Ｂ各々の１次元補正テーブルを作成する（Ｓ３０６）。図１６は、スキャナプロファイルの補正方法を説明する模式図であり、Ｋ４０％のときのＲとＬ*の相関を示している。図の実線は実際の用紙上のパッチ（スキャナプロファイル補正用カラーパッチ）を測定したときの相関を示し、図の破線は予め作成されたスキャナプロファイルにおける相関を示している。実際の出力では、Ｒ１＝５０のときはＬ*１であり、スキャナプロファイルでは、Ｒ１＝５０のときはＬ*０である。すなわち、実際の出力とスキャナプロファイルから算出した場合とで色彩値にずれが生じている。そこで、スキャナプロファイルの相関ではＬ*１のときはＲ２＝５５であることから、Ｒ１とＲ２の差分を算出して、Ｒ１をＲ２に変換する１次元補正テーブルを作成する。同様に、Ｇ、Ｂについても１次元補正テーブルを作成する。図１７は、Ｒ、Ｇ、Ｂ値差から算出した１次元補正テーブルをグラフ化した図である。図の太い実線は、１次元補正テーブルのＲ１とＲ２の相関を示し、図の細い実線は、Ｒ１＝Ｒ２を示している。
【００７５】
このように、予め作成したスキャナプロファイルに基づいて、Ｋ値毎に、Ｒ／Ｌ*、Ｇ／Ｌ*、Ｂ／Ｌ*の相関を算出すると共に、スキャナプロファイル補正用カラーパッチを含むカラーチャートをプリンタで出力し、出力したカラーチャートをスキャナ及び測色器で測定（好ましくはインラインスキャナ及びインライン測色器でハイブリッド測定）し、スキャナプロファイル補正用カラーパッチの測定値に基づいて、Ｋ値毎に、Ｒ／Ｌ*、Ｇ／Ｌ*、Ｂ／Ｌ*の相関を算出し、それらに基づいてＫ値毎にＬ*に対するＲ、Ｇ、Ｂの差分を算出し、この差分から、スキャナプロファイルを補正するための、Ｒ、Ｇ、Ｂ各々の１次元補正テーブルを作成することにより、パッチのＫ値毎に補正量が異なる場合でも高精度にスキャナプロファイルを補正することができ、ハイブリッド測定を行う場合は、よりリアルタイムにユーザの手間をかけることなくスキャナプロファイルの補正が可能になる。
【００７６】
次に、補正したスキャナプロファイル（１次元補正テーブル）の使用例について、図８乃至図１０のフローチャート図を参照して説明する。
【００７７】
［プリンタキャリブレーションにおけるスキャナプロファイル使用例］
図８に示すように、プリンタ４０の印刷処理部４９は、スキャナプロファイル補正用カラーパッチを含むプリンタキャリブレーション用カラーチャートを出力する（Ｓ４０１）。次に、プリンタ４０のインラインスキャナ４９ａは、カラーチャートを測定して全パッチのＲＧＢ値を取得し（Ｓ４０２）、インライン測色器４９ｂは、カラーチャートの測色器読み込み領域を測定して測色器読み込み領域内のパッチ（スキャナプロファイル補正用カラーパッチ）の色彩値を取得する（Ｓ４０３）。
【００７８】
次に、プリンタ４０の制御部４１（相関算出部４１ｂ及びスキャナプロファイル補正部４１ｃ）は、Ｓ４０２で取得したＲＧＢ値とＳ４０３で取得した色彩値とを用いてスキャナプロファイルを補正する（Ｓ４０４）。このステップは、前記した図７と同様である。
【００７９】
次に、プリンタ４０の制御部４１は、補正したスキャナプロファイルを用いて、プリンタキャリブレーション用カラーチャートのインラインスキャナ４９ａが取得したＲＧＢ値から色彩値を算出する（Ｓ４０５）。図１０は、このステップの詳細を示しており、まず、インラインスキャナ４９ａで測定して取得したＲＧＢ値（Ｒ１、Ｇ１、Ｂ１）と、カラーパッチのＫ値を読み出し（Ｓ６０１）、Ｋ値毎の１次元補正テーブルを使用して補正ＲＧＢ値（Ｒ２、Ｇ２、Ｂ２）を算出する（Ｓ６０２）。そして、補正ＲＧＢ値と予め作成されたスキャナプロファイルとを使用して、色彩値を算出する（Ｓ６０３）。
【００８０】
図８に戻って、プリンタ４０の制御部４１は、算出した色彩値を用いてプリンタキャリブレーションテーブルを作成し（Ｓ４０６）、記憶部４５などに記憶して登録する（Ｓ４０７）。また、プリンタキャリブレーションの精度確認機能がある場合、プリンタキャリブレーションテーブルを登録後、プリンタキャリブレーション実行時と同様に、スキャナプロファイル補正用カラーパッチを含むプリンタキャリブレーション用カラーチャートを出力し、プリンタ４０のインラインスキャナ４９ａで、カラーチャートを測定して全パッチのＲＧＢ値を取得し、インライン測色器４９ｂで、カラーチャートの測色器読み込み領域を測定して測色器読み込み領域内のパッチ（スキャナプロファイル補正用カラーパッチ）の色彩値を取得し、取得したＲＧＢ値と色彩値から制御部４１で補正したスキャナプロファイルを用いて算出した色彩値を使用してプリンタキャリブレーションの精度確認を行うことも可能である。
【００８１】
［プリンタプロファイル作成時におけるスキャナプロファイル使用例］
図９に示すように、プリンタ４０の印刷処理部４９は、スキャナプロファイル補正用カラーパッチを含むプリンタプロファイル用カラーチャートを出力する（Ｓ５０１）。次に、プリンタ４０のインラインスキャナ４９ａは、カラーチャートを測定して全パッチのＲＧＢ値を取得し（Ｓ５０２）、インライン測色器４９ｂは、カラーチャートの測色器読み込み領域を測定して測色器読み込み領域内のパッチ（スキャナプロファイル補正用カラーパッチ）の色彩値を取得する（Ｓ５０３）。
【００８２】
次に、プリンタ４０の制御部４１（相関算出部４１ｂ及びスキャナプロファイル補正部４１ｃ）は、Ｓ５０２で取得したＲＧＢ値とＳ５０３で取得した色彩値とを用いてスキャナプロファイルを補正する（Ｓ５０４）。このステップは、前記した図７と同様である。
【００８３】
次に、プリンタ４０の制御部４１は、１次元補正テーブルとスキャナプロファイルとを用いて、プリンタプロファイル用カラーチャートのインラインスキャナ４９ａが取得したＲＧＢ値から色彩値を算出する（Ｓ５０５）。このステップは、前記した図１０と同様である。
【００８４】
そして、プリンタ４０の制御部４１は、算出した色彩値を用いてプリンタプロファイルを作成し（Ｓ５０６）、記憶部４５などに記憶して登録する（Ｓ５０７）。
【００８５】
このように、プリンタキャリブレーション用カラーチャートやプリンタプロファイル用カラーチャートにスキャナプロファイル補正用カラーパッチを含めることにより、１次元補正テーブルとスキャナプロファイルとを用いて、プリンタキャリブレーション用カラーチャートやプリンタプロファイル用カラーチャートのＲＧＢ値から色彩値を算出することができ、算出した色彩値を用いてプリンタキャリブレーションテーブルやプリンタプロファイルを作成することができる。
【００８６】
なお、上記図５乃至図１０では、プリンタ４０の制御部４１（スキャナプロファイル作成部４１ａ）が作成したスキャナプロファイルや、制御部４１（スキャナプロファイル補正部４１ｃ）が補正したスキャナプロファイル（又は１次元補正テーブルとスキャナプロファイル）をプリンタ４０の記憶部４５に記憶する構成としたが、補正したスキャナプロファイル（又は１次元補正テーブルとスキャナプロファイル）を他のプリンタ４０でも使用できるようにすることもできる。
【００８７】
図１８は、複数の印刷システム（ここでは印刷システムＡ〜Ｅ）が管理サーバ（クラウド管理サーバ８０と呼ぶ。）と連携したクラウド連携システムを示している。クラウド管理サーバ８０にはデータベース（クラウド色管理データベースと呼ぶ。）が含まれており、このクラウド色管理データベースに各印刷システムが補正したスキャナプロファイル（又は１次元補正テーブルとスキャナプロファイル）が記憶される。
【００８８】
上記クラウド連携システムにおけるクラウド管理サーバ８０の動作について、図１９のフローチャート図を参照して説明する。
【００８９】
まず、クラウド管理サーバ８０は、連携している印刷システムから、スキャナプロファイル補正情報（補正したスキャナプロファイル、又は、１次元補正テーブルとスキャナプロファイル）を取得する（Ｓ７０１）。
【００９０】
次に、クラウド管理サーバ８０は、クラウド色管理データベースに、取得したスキャナプロファイル補正情報と同じ環境条件（スキャナ種、用紙種、プリンタ種）のスキャナプロファイル補正情報があるかを判断する（Ｓ７０２）。同じ環境条件のスキャナプロファイル補正情報がない場合は（Ｓ７０２のＮｏ）、クラウド色管理データベースに新しい環境条件のスキャナプロファイル補正情報として保存する（Ｓ７０７）。
【００９１】
一方、同じ環境条件のスキャナプロファイル補正情報がある場合は（Ｓ７０２のＹｅｓ）、同じ環境条件のスキャナプロファイル補正情報同士を比較して閾値を決定し（Ｓ７０３）、取得したスキャナプロファイル補正情報の補正量が閾値よりも大きいかを判断する（Ｓ７０４）。取得したスキャナプロファイル補正情報の補正量が閾値以下の場合は（Ｓ７０４のＮｏ）、当該スキャナプロファイル補正情報をクラウド色管理データベースに保存する（Ｓ７０７）。一方、取得したスキャナプロファイル補正情報の補正量が閾値よりも大きい場合は（Ｓ７０４のＹｅｓ）、対応が必要なデータとして、クラウド色管理データベースに保存し（Ｓ７０５）、当該スキャナプロファイル補正情報を送信した印刷システムに対して、対応が必要である旨や対応方法などの警告情報を通知する（Ｓ７０６）。上記対応方法としては、例えば、スキャナの清掃などのメンテナンスや、プリンタの最高濃度や面内濃度バラツキなどの調整の再実行などが挙げられる。
【００９２】
このように、スキャナプロファイル補正情報をクラウド色管理データベースに登録し、スキャナプロファイル補正情報の補正量が閾値を超える印刷システムに対して、対応が必要である旨や対応方法などの警告情報を通知することにより、印刷システムの処理の不具合を未然に防止することができる。
【００９３】
なお、本発明は上記実施例に限定されるものではなく、本発明の趣旨を逸脱しない限りにおいて、システムや各装置の構成や制御は適宜変更可能である。
【００９４】
例えば、上記実施例では、色彩値としてCIE 1976色空間のＬ*ａ*ｂ*値を例示したが、CIE 1931色空間のＸＹＺ値としてもよく、特に制限されない。
【００９５】
また、上記実施例では、プリンタ４０がスキャナプロファイルの作成／補正を行う場合について記載したが、プロファイル作成装置３０が、プリンタ４０とスキャナ５０と測色器６０を制御して、スキャナプロファイルの作成／補正を行う場合においても、本発明の制御を同様に適用することができる。
【００９６】
また、上記実施例では、補正したスキャナプロファイル（又は１次元補正テーブルとスキャナプロファイル）の使用例として、プリンタキャリブレーションとプリンタプロファイル作成を例示したが、プリンタの色検証などにおいても、本発明の制御を同様に適用することができる。
【産業上の利用可能性】
【００９７】
本発明は、スキャナプロファイルを補正するための補正テーブルを作成するスキャナプロファイル補正プログラム、当該スキャナプロファイル補正プログラムを記録した記録媒体、スキャナプロファイル補正方法及びインラインスキャナとインライン測色器とを備えるプリンタに利用可能である。
【符号の説明】
【００９８】
１０  出力指示端末
２０  コントローラ
３０  プロファイル作成装置
３１  制御部
３１ａ  ＲＧＢ値取得部
３１ｂ  色彩値取得部
３１ｃ  スキャナプロファイル作成部
３１ｄ  相関算出部
３１ｅ  スキャナプロファイル補正部
３２  ＣＰＵ
３３  ＲＯＭ
３４  ＲＡＭ
３５  記憶部
３６  ネットワークＩ／Ｆ部
３７  表示部
３８  操作部
４０  プリンタ
４１  制御部
４１ａ  スキャナプロファイル作成部
４１ｂ  相関算出部
４１ｃ  スキャナプロファイル補正部
４２  ＣＰＵ
４３  ＲＯＭ
４４  ＲＡＭ
４５  記憶部
４６  ネットワークＩ／Ｆ部
４７  表示操作部
４８  画像処理部
４９  印刷処理部
４９ａ  インラインスキャナ
４９ｂ  インライン測色器
５０  スキャナ
６０  測色器
７０  通信ネットワーク
８０  クラウド管理サーバ
【図１】
2018166255.tif 000003
【図２】
2018166255.tif 000004
【図３】
2018166255.tif 000005
【図４】
2018166255.tif 000006
【図５】
2018166255.tif 000007
【図６】
2018166255.tif 000008
【図７】
2018166255.tif 000009
【図８】
2018166255.tif 000010
【図９】
2018166255.tif 000011
【図１０】
2018166255.tif 000012
【図１１】
2018166255.tif 000013
【図１２】
2018166255.tif 000014
【図１３】
2018166255.tif 000015
【図１４】
2018166255.tif 000016
【図１５】
2018166255.tif 000017
【図１６】
2018166255.tif 000018
【図１７】
2018166255.tif 000019
【図１８】
2018166255.tif 000020
【図１９】
2018166255.tif 000021